【事件の表示】
　特許第３１７３６５０号「液晶表示装置用平面形蛍光ランプ装置および液晶表示装置」の請求項１ないし４に係る特許に対する特許異議の申立てについて、次のとおり決定する。
【結　論】
　訂正を認める。
　特許第３１７３６５０号の請求項１ないし４に係る特許を取り消す。
【理　由】
〔１〕手続の経緯
　特許第3173650号の請求項１〜４に係る発明についての出願は、平成１年12月18日に出願した特願平1-325863号の一部を平成10年１月12日に新たな特許出願としたものであって、平成13年３月30日にその発明について特許権の設定登録がなされ、その後、その特許について、異議申立人三洋電子部品株式会社により特許異議の申立てがされ、取消しの理由が通知され、その指定期間内である平成14年６月28日に訂正請求（後日取下げ）がされた後、再度取消しの理由が通知され、その指定期間内である平成14年10月１日に訂正請求がされたものである。
　
〔２〕訂正の適否についての判断
(1)訂正の内容
　特許権者が求めている訂正の内容は、以下のａ〜ｆのとおりである。
　ア．訂正事項ａ
　特許請求の範囲の請求項１〜４について、
「【請求項１】平板形ガラスおよびこの平板形ガラスと接合する周縁部に形成された凹部を有する耐火物製浅皿状体を含んで構成された透光性気密容器と、この浅皿状体内に配設された電極と、この電極に電気的に接続されるとともに、一部が上記透光性気密容器の凹部に配設されて外部に導出されたリード線とを具備してなる平面形蛍光ランプと；
　平面形蛍光ランプの前記リード線に電気的および機械的に接続される基板と；を具備していることを特徴とする平面形蛍光ランプ装置。
【請求項２】前記基板は、前記平面形蛍光ランプの外形寸法と略同等寸法を有し、前記平面形蛍光ランプの背面に添接されていることを特徴とする請求項１記載の平面形蛍光ランプ装置。
【請求項３】前記基板において、前記平面形蛍光ランプ側と反対の面に主として電気部品が実装されていることを特徴とする請求項２記載の平面形蛍光ランプ装置。
【請求項４】液晶表示手段と；
液晶表示手段の背面に前記平面形蛍光ランプが位置するように配設された請求項１ないし３のいずれか一に記載の平面形蛍光ランプ装置と；
を具備していることを特徴とする液晶表示装置。」を
「【請求項１】平板形ガラスおよびこの平板形ガラスと接合する周縁部に形成された凹部を有する耐火物製浅皿状体を含んで構成された透光性気密容器と、この浅皿状体内に配設された電極と、この電極に電気的に接続されるとともに、一部が上記透光性気密容器の凹部に配設されて外部に導出された
板状の
　平面形蛍光ランプの
発光面方向と反対方向を向いている面を有し、この面に設けられた電気端子に
板状の
の先端部が
に接続されるとともに前記平面形蛍光ランプにより保持されて一体化するように
てなり、前記電気端子が設けられた一辺を前記リード線が導出された前記透光性気密容器の一辺に略一致させて配置されるとともに、前記電気端子が設けられた一辺の長さを前記リード線が導出された前記透光性気密容器の一辺の長さと略同等寸法に形成されてなる
を具備していることを特徴とする
液晶表示装置用
【請求項２】前記基板は、前記平面形蛍光ランプの外形寸法と略同等寸法を有し、前記平面形蛍光ランプの背面に添接されていることを特徴とする請求項１記載の
液晶表示装置用
【請求項３】前記基板において、前記平面形蛍光ランプ側と反対の面に主として電気部品が実装されていることを特徴とする請求項２記載の
液晶表示装置用
【請求項４】液晶表示手段と；
液晶表示手段の背面に前記平面形蛍光ランプが位置するように配設された請求項１ないし３のいずれか一に記載の
液晶表示装置用
を具備していることを特徴とする液晶表示装置。」と訂正する。
　イ．訂正事項ｂ
　発明の詳細な説明の記載において、
「【課題を解決するための手段】請求項１の発明は、平板形ガラスおよびこの平板形ガラスと接合する周縁部に形成された凹部を有する耐火物製浅皿状体を含んで構成された透光性気密容器と、この浅皿状体内に配設された電極と、この電極に電気的に接続されるとともに、一部が上記透光性気密容器の凹部に配設されて外部に導出されたリード線とを具備してなる平面形蛍光ランプと；
　平面形蛍光ランプの前記リード線に電気的および機械的に接続される基板と；を具備していることを特徴とする平板形ガラスおよびこの平板形ガラスと接合する周縁部に形成された凹部を有する耐火物製浅皿状体を含んで構成された透光性気密容器と、この浅皿状体内に配設された電極と、この電極に電気的に接続されるとともに、一部が上記透光性気密容器の凹部に配設されて外部に導出されたリード線とを具備してなる平面形蛍光ランプと；
　平面形蛍光ランプの前記リード線に電気的および機械的に接続される基板と；を具備していることを特徴とする。」を
「【課題を解決するための手段】請求項１の発明は、平板形ガラスおよびこの平板形ガラスと接合する周縁部に形成された凹部を有する耐火物製浅皿状体を含んで構成された透光性気密容器と、この浅皿状体内に配設された電極と、この電極に電気的に接続されるとともに、一部が上記透光性気密容器の凹部に配設されて外部に導出された
板状の
　平面形蛍光ランプの
発光面方向と反対方向を向いている面を有し、この面に設けられた電気端子に
板状の
の先端部が
に接続されるとともに前記平面形蛍光ランプにより保持されて一体化するように
てなり、前記電気端子が設けられた一辺を前記リード線が導出された前記透光性気密容器の一辺に略一致させて配置されるとともに、前記電気端子が設けられた一辺の長さを前記リード線が導出された前記透光性気密容器の一辺の長さと略同等寸法に形成されてなる
を具備していることを特徴とする。」と訂正する。
　ウ．訂正事項ｃ
　発明の詳細な説明の段落【0011】の記載において
「請求項２の発明は、請求項１記載の平面形蛍光ランプ装置において、前記基板は、前記平面形蛍光ランプの外形寸法と略同等寸法を有し、前記平面形蛍光ランプの背面に添接されていることを特徴とする。」を
「請求項２の発明は、請求項１記載の
液晶表示装置用
　エ．訂正事項ｄ
　発明の詳細な説明の段落【0012】の記載において
「請求項３の発明は、請求項２記載の平面形蛍光ランプ装置において、前記基板において、前記平面形蛍光ランプ側と反対の面に主として電気部品が実装されていることを特徴とする。」を
「請求項３の発明は、請求項２記載の
液晶表示装置用
　オ．訂正事項ｅ
　発明の詳細な説明の段落【0013】の記載において
「請求項４の発明は、液晶表示手段と；液晶表示手段の背面に前記平面形蛍光ランプが位置するように配設された請求項１ないし３のいずれか一に記載の平面形蛍光ランプ装置と；を具備していることを特徴とする。」を
「請求項４の発明は、液晶表示手段と；液晶表示手段の背面に前記平面形蛍光ランプが位置するように配設された請求項１ないし３のいずれか一に記載の
液晶表示装置用
　カ．訂正事項ｆ
　発明の名称において、「平面形蛍光ランプ装置および液晶表示装置」を「
液晶表示装置用
　
(2)訂正の目的の適否、新規事項の有無及び拡張・変更の存否
　上記訂正事項ａに関連する記載として、願書に添付した明細書又は図面（以下、「特許明細書等」という。）の発明の詳細な説明の段落【0016】には「帯板状のリード線」なる記載があり、かつ、図１によれば「発光面方向と反対方向を向いている面を有し、この面に設けられた電気端子」があることは明白であるし、かつ、段落【0026】には「平面形蛍光ランプにより保持されて一体化するとともに、電気端子23a，23aを介して電気的に接続されている。」なる記載があり、かつ、段落【0016】には「電極18，19に電気的に接続されるとともに、一部が上記透光性気密容器17の凹部に配設されて外部に導出されたリード線18a，18b，19a，19bと、この透光性気密容器17の外形寸法と略同等寸法を有し、ランプ17の背面に添接する基板である点灯回路基板13A」と記載されているところから、「液晶表示装置用平面形蛍光ランプ装置」として「板状のリード線とを具備してなる平面形蛍光ランプと；平面形蛍光ランプの発光面方向と反対方向を向いている面を有し、この面に設けられた電気端子に前記板状のリード線の先端部が電気的に接続されるとともに前記平面形蛍光ランプにより保持されて一体化するように接続されてなり、前記電気端子が設けられた一辺を前記リード線が導出された前記透光性気密容器の一辺に略一致させて配置されるとともに、前記電気端子が設けられた一辺の長さを前記リード線が導出された前記透光性気密容器の一辺の長さと略同等寸法に形成されてなる基板」なる発明は、特許明細書等に記載されているものと認められる。
　そうすると、上記訂正事項ａは、特許明細書等に記載されていた事項の範囲内において平面形蛍光ランプを限定したものといえるから、特許請求の範囲の減縮を目的とした明細書の訂正に該当するものであって新規事項の追加に該当せず、また、実質上特許請求の範囲を拡張し、又は変更するものではない。
　上記訂正事項ｂ〜ｆは、上記訂正事項ａの訂正にともない明細書の記載を整合するものであるから、明りょうでない記載の釈明を目的とする明細書の訂正に該当するものであって、新規事項の追加に該当せず、また、実質上特許請求の範囲を拡張し、又は変更するものでもない。
　
(3)むすび
　以上のとおりであるから、上記訂正は特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書および第２項の規定に適合するので、当該訂正を認める。　
　
〔３〕特許異議申立てについての判断
(1)本件発明
　上記〔２〕で示したように上記訂正が認められるから、本件の請求項１〜４に係る発明（以下、「本件発明１」〜「本件発明４」という。）は、上記訂正に係る訂正明細書の特許請求の範囲の請求項１〜４に記載されたとおりのものである。（上記〔２〕(1)ア．訂正事項ａ参照）
　
(2)引用刊行物に記載された発明
　当審が通知した平成14年４月18日付けの取消理由に引用した刊行物１（実願昭60-5735（実開昭61-121655号）のマイクロフィルム）には、平面型蛍光灯に関し、第１〜４図とともに以下の事項が記載されている。
ア．「略平板状の一対の封止ガラス(1)(2)を前記庇部(10)(20)にて互いに接合し、両封止ガラス間に放電空間を形成した。又、一方の封止ガラス或は両封止ガラスの内面には略全面に蛍光膜(5)を形成し、前記放電空間の両端部には一対の板状電極(3)(3)を対向配備した。」（明細書第４頁第１〜６頁）
イ．「然も、一対の封止ガラス(1)(2)からなる蛍光灯本体は扁平形に形成することが出来るから、装置全体の薄形化が可能であり、狭隘な空間の照明に好適である。」（明細書第５頁第８〜11行）
ウ．「第１図及び第２図は、本考案に係る平面型蛍光灯を自動車のルームランプに実施した例を示す。周縁全周に庇部(10)を突設した皿状の前部封止ガラス(1)と、該前部封止ガラス(1)と、該前部封止ガラス(1)と同一の広さに形成された平板状の後部封止ガラス(2)とを、互いに周縁部にて接合することにより、扁平直方体状の蛍光灯本体が形成される。この際、後部封止ガラス(2)の周縁部は前記封止ガラス(1)の庇(10)と接合されるべき他方の庇部(20)となる。前部封止ガラス(1)の長手方向の一側部には排気管(4)が設けられている。前部封止ガラス(1)の内面には蛍光膜(5)が略全面に形成されている。両封止ガラス間に形成された放電空間に対向配備される一対の電極(3)(3)は、夫々鉄−ニッケル合金製の電極板を断面コ字状に屈曲形成したものであって、放電空間の幅と略等しい長さに形成され、両端には電極板と同一材質の電極リード(30)(30)が取付けられている。尚、電極方式として２次電子を放出する冷陰極型が採用されている。前記両封止ガラス(1)(2)は互いに庇部(10)(20)にてガラスフリット等のシール材によって熱溶着され密閉される。この際、同時に前記電極リード(30)(30)も夫々先端部を封止ガラス端部から突出して固定される。排気管(4)によって放電空間内の空気が排気された後、該空間内には水銀及びアルゴンガスが封入される。上記平面型蛍光灯は、第２図に示す如く互いに接合する庇部(10)(20)がフランジ(6)を形成しており、該フランジ(6)を車の天井(7)に設けられた鉤状の取付部(70)に固定することにより、特別な取付器具を用いることなく容易且つ確実に装備することが出来る。」（明細書第５頁第13行〜第７頁第６行）
　以上の記載によれば、上記刊行物１には、以下の発明（以下、「引用発明１」という。）が記載されているものと認められる。
「封止ガラス２およびこの封止ガラス２と接合する周縁部に形成された凹部を有する浅皿状体を含んで構成された封止ガラス１と、封止ガラス１と封止ガラス２により構成される扁平直方体状の蛍光灯本体と、前記封止ガラス１により構成される浅皿状体内に配設された電極３と、この電極３に電気的に接続されるとともに、一部が上記封止ガラス１の凹部に配設されて外部に導出された板状の電極リード３０とを具備してなる平面形蛍光ランプ。」
　
　同じく、刊行物２（特開昭61-228489号公報）には、液晶表示装置に関して第１〜７図とともに以下の事項が記載されている。
　ア．「プリント基板上に液晶表示素子を照明するためのバックライトを取付けてなる液晶表示装置において、前記プリント基板の側面に前記バックライトのリードを配設するための切り欠き溝を設け、少なくとも前記切り欠き溝の周辺に前記リードを固定するための端子を形成したことを特徴とする液晶表示装置。」（特許請求の範囲）
　イ．「本発明の一実施例によれば、プリント基板の側面に切り欠き溝を設け、この切り欠き溝の周辺に端子を形成した液晶表示装置が形成される。これにより、バックライトのリードをプリント基板の側面より切り欠き溝に配設または切り欠き溝より取外しができ、容易に作業を行なうことができる。…以下、本発明の一実施例を第３図及び第４図により説明する。プリント基板６の側面には、バックライト７のリード7aを配設するための切り欠き溝6aが形成されている。また切り欠き溝6aの周辺には、半田付けしやすいように金メッキを施して端子6bが形成されている。従って、バックライト７の取付けは、リード7aをプリント基板６の側面より切り欠き溝6aに入るように折り曲げ、その後リード7aを端子6bに半田付けする。このように、リード7aをプリント基板６の側面より端子6aの部分に配設できるので、バックライト７の着脱を容易に行なうことができる。端子６（「6b」の誤記と認められる。）は、第５図のように切り欠き溝6aの周辺の一部でも、また第６図及び第７図に示すように切り欠き溝6aの周辺及び側面に形成してもよい。」（第２頁左上欄第７行〜右上欄第10行）
　以上の記載によれば、刊行物２には、以下の発明（以下、「引用発明２」という。）が記載されているものと認められる。
「外部に導出されたリード7aを具備し、その幅及び長さがプリント基板の幅及び長さ方向に比べて短かいバックライト７をプリント基板６に取付けるとともに、プリント基板６の側面には、バックライト７のリード7aを配設するための切り欠き溝6aが形成され、切り欠き溝6aの周辺には、端子6bが形成され、バックライト７の取付けは、リード7aをプリント基板６の側面より切り欠き溝6aに入るように折り曲げ、その後リード7aを端子6bに半田付けしてなる液晶表示装置用バックライト７。」
　
(3)対比・判断
ア．本件発明１について
　本件発明１と引用発明２を対比すると、引用発明２の「バックライト」、「プリント基板」、「リード」、「端子」、「液晶表示装置用バックライト」は、本件発明１の「平面形蛍光ランプ」、「基板」、「リード線」、「電気端子」、「液晶表示用平面形蛍光ランプ装置」に相当し、引用発明２も半田付けでリードの先端部がプリント基板と一体化されているため「リード線の先端部が電気的に接続されるとともに平面形蛍光ランプにより保持されて一体化するように接続されてなる」基板を有するものと認められる。
　したがって、両者は、「外部に導出されたリード線を具備してなる平面形蛍光ランプと；電気端子にリード線の先端部が電気的に接続されるとともに平面形蛍光ランプにより保持されて一体化するように接続されてなる基板を具備している液晶表示用平面形蛍光ランプ装置」の点で一致しており、
（相違点１）
　平面形蛍光ランプに関し、本件発明１においては、「平板形ガラスおよびこの平板形ガラスと接合する周縁部に形成された凹部を有する耐火物製浅皿状体を含んで構成された透光性気密容器と、この浅皿状体内に配設された電極と、この電極に電気的に接続されるとともに、一部が上記透光性気密容器の凹部に配設されて外部に導出された板状のリード線とを具備して」いるのに対し、引用発明２においては、外部に導出されたリード線を具備するものの、それ以外の具体的構造が明らかでない点、
（相違点２）
　基板の電気端子に関し、本件発明１においては、基板における「平面形蛍光ランプの発光面方向と反対方向を向いている面」に設けられているのに対し、引用発明２においては、基板の側面に切り欠き溝が設けられ、該溝の周辺に設けられている点、
（相違点３）
  基板に関し、本件発明１は、「電気端子が設けられた一辺をリード線が導出された透光性気密容器の一辺に略一致させて配置されるとともに、前記電気端子が設けられた一辺の長さを前記リード線が導出された前記透光性気密容器の一辺の長さと略同等寸法に形成されてなる」構成を有するのに対し、引用発明２は、そのような構成を有しない点、
　で相違する。
　しかしながら、上記相違点１について、引用発明１の「封止ガラス１」、「封止ガラス２」、「蛍光灯本体」、「板状の電極リード」は、本件発明１の「耐火物製浅皿状体」、「平面形ガラス」、「透光性気密容器」、「板状のリード線」に相当するということができるから、「平板形ガラスおよびこの平板形ガラスと接合する周縁部に形成された凹部を有する耐火物製浅皿状体を含んで構成された透光性気密容器と、この浅皿状体内に配設された電極と、この電極に電気的に接続されるとともに、一部が上記透光性気密容器の凹部に配設されて外部に導出された板状のリード線とを具備してなる平面形蛍光ランプ」の点（以下、「平面形蛍光ランプ」という。）は、引用発明１に記載されているというべきであり、引用発明２のバックライトに代えて上記平面形蛍光ランプを適用し本件発明１のようにすることは、両者が同じ平面形ランプの技術分野に属することから、当業者が容易に想到できたものと認められる。
　上記相違点２について、基板上における電気端子の配置箇所の選択は、半田付け等の接続作業の容易性を考慮して当業者が適宜なし得ることであるから、引用発明２において、基板の「平面形蛍光ランプの発光面方向と反対方向を向いている面」に電気端子を設けることは、当業者が容易に想到することができたものと認める。
　上記相違点３について、引用発明２の如く、バックライトをプリント基板に配置するに際し、バックライトの幅及び長さがプリント基板の幅及び長さ方向に比べて短いものを、本件発明１のように「電気端子が設けられた一辺を前記リード線が導出された前記透光性気密容器の一辺に略一致させて配置されるとともに、前記電気端子が設けられた一辺の長さを前記リード線が導出された前記透光性気密容器の一辺の長さと略同等寸法に形成されてなる基板」とする程度のことは、コンパクト化、軽量化、容易に製品を作ること等を考慮して、当業者が適宜改変しうる設計的事項にすぎないものと認められる。
  そして、本件発明１の効果を参照しても、引用発明１、２に基づいて当業者であれば容易に予測できる程度のものである。
　
イ．本件発明２について
　本件発明２は、本件発明１に「前記基板は、前記平面形蛍光ランプの外形寸法と略同等寸法を有し、前記平面形蛍光ランプの背面に添接されていること」を追加して減縮するものであるが、「前記基板は、前記平面形蛍光ランプの外形寸法と略同等寸法を有」する点は、上記ア．相違点２についてと同じ理由により当業者が容易に想到することができたものと認められ、かつ、「平面形蛍光ランプの背面に添接されていること」は引用発明２に実質的に含まれている技術的事項であるから、本件発明２は、引用発明１、２に基づいて当業者が容易に想到することができたものと認められる。
　
ウ．本件発明３について
　本件発明３は、本件発明２に「前記基板において、前記平面形蛍光ランプ側と反対の面に主として電気部品が実装されていること」を追加して減縮するものであるが、基板に電気部品が実装されることは周知技術であり、ランプを基板に配設するに際し、基板に設けた電気部品がランプの邪魔にならないようにランプ側と反対の面に電気部品を実装することも当業者であれば技術常識であるから、本件発明３は、引用発明１、２及び周知技術に基づいて当業者が容易に想到できたものである。
　
エ．本件発明４について
　本件発明４は、液晶表示手段と；本件発明１〜３に「液晶表示手段の背面に前記平面形蛍光ランプが位置するように配設された」点を追加して減縮した液晶表示装置用平面形蛍光ランプ装置と；を具備している液晶表示装置であるが、液晶表示手段の背面に平面形蛍光ランプが位置するように配設する構成は、引用発明２に実質的に含まれている技術的事項であるから、本件発明４は、引用発明１、２及び周知技術に基づいて当業者が容易に想到できたものである。
　
〔４〕むすび
　以上のとおりであるから、本件発明１〜４は、上記引用発明１、２及び周知技術に基づいて当業者が容易に発明をすることができたものであるから、特許法第29条第２項の規定により特許を受けることができない。
　したがって、本件発明１〜４についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１１月６日（２００２．１１．６）
【訂正の要旨】
ア．訂正事項ａ
　特許請求の範囲の請求項１〜４について、
「【請求項１】平板形ガラスおよびこの平板形ガラスと接合する周縁部に形成された凹部を有する耐火物製浅皿状体を含んで構成された透光性気密容器と、この浅皿状体内に配設された電極と、この電極に電気的に接続されるとともに、一部が上記透光性気密容器の凹部に配設されて外部に導出されたリード線とを具備してなる平面形蛍光ランプと；
　平面形蛍光ランプの前記リード線に電気的および機械的に接続される基板と；を具備していることを特徴とする平面形蛍光ランプ装置。
　【請求項２】前記基板は、前記平面形蛍光ランプの外形寸法と略同等寸法を有し、前記平面形蛍光ランプの背面に添接されていることを特徴とする請求項１記載の平面形蛍光ランプ装置。
　【請求項３】前記基板において、前記平面形蛍光ランプ側と反対の面に主として電気部品が実装されていることを特徴とする請求項２記載の平面形蛍光ランプ装置。
　【請求項４】液晶表示手段と；
液晶表示手段の背面に前記平面形蛍光ランプが位置するように配設された請求項１ないし３のいずれか一に記載の平面形蛍光ランプ装置と；
を具備していることを特徴とする液晶表示装置。」を
「【請求項１】平板形ガラスおよびこの平板形ガラスと接合する周縁部に形成された凹部を有する耐火物製浅皿状体を含んで構成された透光性気密容器と、この浅皿状体内に配設された電極と、この電極に電気的に接続されるとともに、一部が上記透光性気密容器の凹部に配設されて外部に導出された
板状の
　平面形蛍光ランプの
発光面方向と反対方向を向いている面を有し、この面に設けられた電機端子に
板状の
の先端部が
に接続されるとともに前記平面形蛍光ランプにより保持されて一体化するように
てなり、前記電機端子が設けられた一辺を前記リード線が導出された前記透光性気密容器の一辺に略一致させて配置されるとともに、前記電機端子が設けられた一辺の長さを前記リード線が導出された前記透光性気密容器の一辺の長さと略同等寸法に形成されてなる
を具備していることを特徴とする
液晶表示装置用
　【請求項２】前記基板は、前記平面形蛍光ランプの外形寸法と略同等寸法を有し、前記平面形蛍光ランプの背面に添接されていることを特徴とする請求項１記載の
液晶表示装置用
　【請求項３】前記基板において、前記平面形蛍光ランプ側と反対の面に主として電気部品が実装されていることを特徴とする請求項２記載の
液晶表示装置用
　【請求項４】液晶表示手段と；
液晶表示手段の背面に前記平面形蛍光ランプが位置するように配設された請求項１ないし３のいずれか一に記載の
液晶表示装置用
を具備していることを特徴とする液晶表示装置。」と訂正する。
　イ．訂正事項ｂ
　発明の詳細な説明の記載において、
「【課題を解決するための手段】請求項１の発明は、平板形ガラスおよびこの平板形ガラスと接合する周縁部に形成された凹部を有する耐火物製浅皿状体を含んで構成された透光性気密容器と、この浅皿状体内に配設された電極と、この電極に電気的に接続されるとともに、一部が上記透光性気密容器の凹部に配設されて外部に導出されたリード線とを具備してなる平面形蛍光ランプと；
　平面形蛍光ランプの前記リード線に電気的および機械的に接続される基板と；を具備していることを特徴とする平板形ガラスおよびこの平板形ガラスと接合する周縁部に形成された凹部を有する耐火物製浅皿状体を含んで構成された透光性気密容器と、この浅皿状体内に配設された電極と、この電極に電気的に接続されるとともに、一部が上記透光性気密容器の凹部に配設されて外部に導出されたリード線とを具備してなる平面形蛍光ランプと；
　平面形蛍光ランプの前記リード線に電気的および機械的に接続される基板と；を具備していることを特徴とする。」を
「【課題を解決するための手段】請求項１の発明は、平板形ガラスおよびこの平板形ガラスと接合する周縁部に形成された凹部を有する耐火物製浅皿状体を含んで構成された透光性気密容器と、この浅皿状体内に配設された電極と、この電極に電気的に接続されるとともに、一部が上記透光性気密容器の凹部に配設されて外部に導出された
板状の
　平面形蛍光ランプの
発光面方向と反対方向を向いている面を有し、この面に設けられた電機端子に
板状の
の先端部が
に接続されるとともに前記平面形蛍光ランプにより保持されて一体化するように
てなり、前記電機端子が設けられた一辺を前記リード線が導出された前記透光性気密容器の一辺に略一致させて配置されるとともに、前記電機端子が設けられた一辺の長さを前記リード線が導出された前記透光性気密容器の一辺の長さと略同等寸法に形成されてなる
を具備していることを特徴とする。」と訂正する。
　ウ．訂正事項ｃ
　発明の詳細な説明の段落【００１１】の記載において
「請求項２の発明は、請求項１記載の平面形蛍光ランプ装置において、前記基板は、前記平面形蛍光ランプの外形寸法と略同等寸法を有し、前記平面形蛍光ランプの背面に添接されていることを特徴とする。」を
「請求項２の発明は、請求項１記載の
液晶表示装置用
　エ．訂正事項ｄ
　発明の詳細な説明の段落【００１２】の記載において
「請求項３の発明は、請求項２記載の平面形蛍光ランプ装置において、前記基板において、前記平面形蛍光ランプ側と反対の面に主として電気部品が実装されていることを特徴とする。」を
「請求項３の発明は、請求項２記載の
液晶表示装置用
　オ．訂正事項ｅ
　発明の詳細な説明の段落【００１３】の記載において
「請求項４の発明は、液晶表示手段と；液晶表示手段の背面に前記平面形蛍光ランプが位置するように配設された請求項１ないし３のいずれか一に記載の平面形蛍光ランプ装置と；を具備していることを特徴とする。」を
「請求項４の発明は、液晶表示手段と；液晶表示手段の背面に前記平面形蛍光ランプが位置するように配設された請求項１ないし３のいずれか一に記載の
液晶表示装置用
（５４）【発明の名称】
液晶表示装置用
（５７）【特許請求の範囲】
　【請求項１】平板形ガラスおよびこの平板形ガラスと接合する周縁部に形成された凹部を有する耐火物製浅皿状体を含んで構成された透光性気密容器と、この浅皿状体内に配設された電極と、この電極に電気的に接続されるとともに、一部が上記透光性気密容器の凹部に配設されて外部に導出された
板状の
　平面形蛍光ランプの
発光面方向と反対方向を向いている面を有し、この面に設けられた電気端子に
板状の
の先端部が
に接続されるとともに前記平面形蛍光ランプにより保持されて一体化するように
てなり、前記電気端子が設けられた一辺を前記リード線が導出された前記透光性気密容器の一辺に略一致させて配置されるとともに、前記電気端子が設けられた一辺の長さを前記リード線が導出された前記透光性気密容器の一辺の長さと略同等寸法に形成されてなる
を具備していることを特徴とする
液晶表示装置用
　【請求項２】前記基板は、前記平面形蛍光ランプの外形寸法と略同等寸法を有し、前記平面形蛍光ランプの背面に添接されていることを特徴とする請求項１記載の
液晶表示装置用
　【請求項３】前記基板において、前記平面形蛍光ランプ側と反対の面に主として電気部品が実装されていることを特徴とする請求項２記載の
液晶表示装置用
　【請求項４】液晶表示手段と；
　液晶表示手段の背面に前記平面形蛍光ランプが位置するように配設された請求項１ないし３のいずれか一に記載の
液晶表示装置用
を具備していることを特徴とする液晶表示装置。
【発明の詳細な説明】
　【０００１】
　【発明の属する技術分野】本発明は、液晶表示手段等を照明するに好適な平面形蛍光ランプ装置および液晶表示装置に関する。
　【０００２】
　【従来の技術】従来の蛍光ランプ装置は、例えば、実開昭５８−１３０３５２号公報（従来例）等に記載されている。この蛍光ランプ装置について、図６を参照して説明する。
　【０００３】図６は、従来の蛍光ランプ装置の斜視図である。ほぼＵ字形の発光部分を有する蛍光ランプ１は、その一端部に排気管の外周に装着した保護キャップ２を有している。このキャップ２は取付台４上に設けられた挟持片３内に挟持されることによって取付台４に取り付けられている。
　【０００４】また、この蛍光ランプ１の他端部から外部へ水平方向に導出された電極リード片５…は、取付台４上に固定した口金ソケット６の各挿入口６ａ…内に挿入されて蛍光ランプ１の他端部を固定するとともに、この口金ソケット６を介して点灯回路に電気的に接続している。
　【０００５】
　【発明が解決しようとする課題】しかしながら、このような蛍光ランプ装置では、例えば、液晶表示装置等の機器に組み込む場合には、蛍光ランプ装置と図示していない点灯回路部品の両者を固定するようにしなければならないので、両者の間には、設計上、無駄なスペースが形成されやすくなる。そして、このスペースを含めた両者の機器に占める割合が大きくなり、機器全体のコンパクト化が図りにくい。
　【０００６】また、機器内には、両者それぞれを支持するために固定手段を形成する必要がある。この結果、組立作業を両者個々に行わなければならないので、組立作業が面倒で時間が長くかかるとともに、製造コストも増大する。
　【０００７】また、蛍光ランプと点灯回路部品との電気的接続作業およびプリント配線基板等と蛍光ランプとの固定作業の２段階に組立作業を行う必要があり、ここでも組立時間が長くなる。さらには、固定に特別な固定部材を使用するので、製造コストが増大する。
　【０００８】また、Ｕ字形の発光部分を有する蛍光ランプまたは直管形の蛍光ランプを使用しているので、平面状の液晶表示手段を効率よく、均一に照射しにくくなり、蛍光ランプ装置全体のコンパクト化が図れない。
　【０００９】本発明は、蛍光ランプ装置全体のコンパクト化を図り、さらに、組立時間、製造コスト等を低減した平面形蛍光ランプ装置およびこの装置を使用した液晶表示装置を提供することを目的とする。
　【００１０】
　【課題を解決するための手段】請求項１の発明は、平板形ガラスおよびこの平板形ガラスと接合する周縁部に形成された凹部を有する耐火物製浅皿状体を含んで構成された透光性気密容器と、この浅皿状体内に配設された電極と、この電極に電気的に接続されるとともに、一部が上記透光性気密容器の凹部に配設されて外部に導出された
板状の
発光面方向と反対方向を向いている面を有し、この面に設けられた電気端子に
板状の
の先端部が
に接続されるとともに前記平面形蛍光ランプにより保持されて一体化するように
てなり、前記電気端子が設けられた一辺を前記リード線が導出された前記透光性気密容器の一辺に略一致させて配置されるとともに、前記電気端子が設けられた一辺の長さを前記リード線が導出された前記透光性気密容器の一辺の長さと略同等寸法に形成されてなる
　【００１１】請求項２の発明は、請求項１記載の
液晶表示装置用
　【００１２】請求項３の発明は、請求項２記載の
液晶表示装置用
　【００１３】請求項４の発明は、液晶表示手段と；液晶表示手段の背面に前記平面形蛍光ランプが位置するように配設された請求項１ないし３のいずれか一に記載の
液晶表示装置用
　【００１４】
　【発明の実施の形態】以下、本発明の一実施の形態を示す平面形蛍光ランプ装置について、図面を参照して説明する。
　【００１５】図１は本発明の一実施の形態を示す平面形蛍光ランプ装置の分解斜視図、図２は同じく斜視図、図３は同じく平面図、図４は同じく背面図、図５は同じく変形例の斜視図である。
　【００１６】図において、平面形蛍光ランプ装置６１は、平板形ガラス１５およびこの平板形ガラス１５と接合する周縁部に形成された凹部を有する耐火物製浅皿状体を含んで構成された透光性気密容器１７と、この浅皿状体１７内に配設された電極１８，１９と、この電極１８，１９に電気的に接続されるとともに、一部が上記透光性気密容器１７の凹部に配設されて外部に導出されたリード線１８ａ，１８ｂ，１９ａ，１９ｂと、この透光性気密容器１７の外形寸法と略同等寸法を有し、ンプ１７の背面に添接する基板である点灯回路基板１３Ａと、主として上記基板の上記蛍光ランプ側と反対の面に実装された電気部品である点灯回路部品２２とを有する。なお、上述した電極１８，１９は、例えばホローカソード形の冷陰極等の一対の電極が相互に離間して対向配置されている。そして、これら一対の電極の軸方向両端部には、導体であって帯板状のリード線である電極リード片１８ａ，１８ｂ，１９ａ，１９ｂが電気的に接続されている。
　【００１７】上記透光性気密容器１７は、透明な平板形ガラスの内面に蛍光膜を被着して、発光面を形成する前面プレート１４と、これとほぼ同形同大の板ガラスで形成され、平面状の背面であって非発光面となる平板形ガラスである背面プレート１５および矩形枠のスペーサ１６で構成される耐火物製浅皿状体とで形成されている。そして、透光性気密容器１７内には所定量の水銀とアルゴンガス等の希ガスが封入されている。
　【００１８】また、発光面を有しない背面プレート１５の側面には、図中上方へ立ち上がる各リード片１８ａ，１８ｂ，１９ａ，１９ｂの内面が接触する部分に矩形状の凹部６２，６２，６２，６２がそれぞれ形成されている。
　【００１９】これらの凹部６２…は、その幅が各リード片１８ａ…の幅にほぼ係合する寸法であり、その長さは背面プレート１５の板厚方向全長に形成されている。また、各凹部６２…の深さは、各リード片１８ａ…の板厚よりも大きく形成され、図２および図３に示すように各凹部６２…内に各リード片１８ａ…を直交するように折り曲げたときに、各リード片１８ａ…の外面が背面プレート１５の外側面より内方へ食い込み、外方へ突出するのを防止している。
　【００２０】この理由は、各リード片１８ａ…がほぼ垂直方向に立ち上がったときに背面プレート１５の外側面より外方へ突出すると、これら突出端部相互を結ぶ平面形蛍光ランプ装置６１の外形が大形化するとともに、各突出端部周りに形成されるデッドスペースを防止するためである。
　【００２１】そして、図示のようにスペーサ１６の図中上端面には、その内側部にて各リード片１８ａ…を外方へ挿通させる円弧状の内側凹部６３ａをそれぞれ形成するとともに、その外側部には各内側凹部６３ａよりも深さが若干深い矩形状の外側凹部６３ｂをそれぞれ形成し、これら内側、外側凹部６３ａ，６３ｂを内外に隣接させている。
　【００２２】したがって、各リード片１８ａ…を各内側凹部６３ａ内に水平方向に挿通させて外方へ導出させて各内側外側凹部６３ａ，６３ｂに例えばフリットガラス等を充填して各リード片１８ａ…の挿通部を気密に封止できる。
　【００２３】この封止後は各リード片１８ａ…の突出端部をその基端部から背面プレート１５側へほぼ直角に折り曲げほぼ直立させる。
　【００２４】したがって、各リード片１８ａ…は、各凹部６３ａ，６３ｂ内に封入された状態で立ち上がるので、各リード片１８ａ…の外面が背面プレート１５の外側面より外方へ突出するのを防止することができる。
　【００２５】この点灯回路基板１３Ａは、図４に示すように背面プレート１５の図中上端上に同心状に配設された状態でこの点灯回路基板１３Ａの上面より上方に突出する各リード片１８ａ…の突出端部を点灯回路基板１８Ａの各電気端子２３ａ，２３ａ上内方へほぼ直角にそれぞれ折曲して接続させる。
　【００２６】これにより、点灯回路基板１３Ａは、各リード片１８ａ…で平面形蛍光ランプにより保持されて一体化するとともに、電気端子２３ａ，２３ａを介して電気的に接続されている。したがって、本実施の形態では、各リード片１８ａ…を各凹部６３ａ，６３ｂ内に挿入し、背面プレート１５の外側面より外方へ突出するのを防止することができる。そして、平面形蛍光ランプ装置６１のデッドスペースを解消し、よりコンパクト化を図ることができる。この結果、例えば液晶表示手段である液晶ディスプレイ装置等に組み込む際の設置スペースの節約を図ることができる。
　【００２７】なお、本実施の形態では、図２に示すように各リード片１８ａ…を各凹部６３ａ，６３ｂ内に封入させて立ち上げて図５に示すように、各リード片１８ａ…の外面に各フリットガラス６４を充填し、各リード片１８ａ…の外面を電気的に絶縁してもよい。
　【００２８】但し、この場合、各フリットガラス６４の外面は、背面プレート１５およびスペーサ１６の外側面とほぼ面一に設定し、外方へ突出させてはならない。
　【００２９】
　【発明の効果】請求項１の
液晶表示装置用
　【００３０】請求項２の
液晶表示装置用
　【００３１】請求項３の
液晶表示装置用
　【００３２】請求項４の液晶表示装置では、液晶表示手段の背面に上記蛍光ランプが位置するように配設された
液晶表示装置用
【図面の簡単な説明】
　【図１】本発明の一実施の形態を示す平面形蛍光ランプ装置の分解斜視図。
　【図２】同じく斜視図。
　【図３】同じく平面図。
　【図４】同じく背面図。
　【図５】同じく変形例の斜視図。
　【図６】従来の蛍光ランプ装置の斜視図。
　【符号の説明】
　６１…平面形蛍光ランプ装置
　１７…透光性気密容器
　１３Ａ…点灯回路基板
　１８ａ，１８ｂ，１９ａ，１９ｂ…リード線
　６２…凹部